【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
読み取り台の読み取りエリアを撮像する撮像部を用いて、前記読み取りエリアに置かれた対象物を読み取る読み取り装置であって、
前記読み取りエリアに置かれた第１の対象物を、前記撮像部を用いて読み取って得られた前記第１の対象物のデータを生成する第１の生成手段と、
前記第１の対象物が前記読み取りエリアに置かれている状態で、ユーザによって、前記第１の対象物と異なる第２の対象物が前記読み取りエリアに置かれたかを判定する判定手段と、
前記読み取りエリアに置かれた第２の対象物を、前記撮像部を用いて読み取って得られた前記第２の対象物のデータを生成する第２の生成手段と、
前記判定手段で前記第２の対象物が前記読み取りエリアに置かれたと判定された場合、前記第１の対象物のデータと前記第２の対象物のデータを対応つける対応つけ手段とを有することを特徴とする読み取り装置。
【請求項２】
前記判定手段は、さらに、ユーザによって、前記第１の対象物が前記読み取りエリアから取り除かれたかを判定し、
前記対応つけ手段は、前記判定手段で前記第１の対象物が前記読み取りエリアから取り除かれたと判定された場合、前記第１の対象物のデータを前記第２の対象物のデータと対応づけないことを特徴とする請求項１に記載の読み取り装置。
【請求項３】
前記対応つけ手段は、前記判定手段で前記第２の対象物が前記読み取りエリアに置かれたと判定された場合、前記第１の対象物のデータと前記第２の対象物のデータを、ひとつのファイルにし、
かつ、前記判定手段で前記第１の対象物が前記読み取りエリアから取り除かれたと判定された場合、前記第１の対象物のデータを前記第２の対象物のデータは別のファイルとすることを特徴とする請求項２に記載の読み取り装置。
【請求項４】
前記第１の対象物が置かれたときの読み取りエリアを撮像して得られる第１の撮像データを取得する第１の撮像データ取得手段と、
前記ユーザの手が前記読み取りエリアからなくなった後の、前記読み取りエリアを撮像して得られる第２の撮像データを取得する第２の撮像データ取得手段と、
前記判定手段は、前記第１の撮像データと前記第２の撮像データを用いて、判定することを特徴とする請求項１乃至請求項３の何れか１項に記載の読み取り装置。
【請求項５】
前記ユーザの手の動きを検出する検出手段をさらに有し、
前記判定手段は、前記検出手段が検出するユーザの手の動きに基づいて、判定することを特徴とする請求項１乃至請求項３の何れか１項に記載の読み取り装置。
【請求項６】
前記ユーザの手の動きと対象物の動きを検出する検出手段をさらに有し、
前記判定手段は、前記検出手段が検出するユーザの手の動きと対象物の動きとに基づいて、判定することを特徴とする請求項１乃至請求項３の何れか１項に記載の読み取り装置。
【請求項７】
前記読み取りエリアに置かれている前記第１の対象物が含まれる対象物領域を取得する領域取得手段を有し、
前記判定手段は、前記第１の対象物が前記読み取りエリアに置かれている状態で、ユーザによって、前記取得された前記第１の対象物が含まれる対象物領域に、前記第２の対象物が重ねて置かれたかを判定し、
前記対応つけ手段は、前記判定手段で前記第１の対象物が含まれる対象物領域に、前記第２の対象物が重ねて置かれたと判定された場合、前記第１の対象物データと前記第２の対象物のデータを対応つけることを特徴とする請求項１記載の読み取り装置。
【請求項８】
前記対応つけ手段は、前記判定手段で前記第１の対象物が含まれる対象物領域に、前記第２の対象物が重ねて置かれていないと判定した場合、前記第１の対象物データと前記第２の対象物のデータを対応つけないことを特徴とする請求項７に記載の読み取り装置。
【請求項９】
ファイル済の対象物のデータと前記第１の対象物のデータとが一致するかを判定する一致判定手段を有し、
前記一致判定手段でファイル済の対象物のデータと前記第１の対象物のデータとが一致すると判定された場合、前記ファイル済の対象物のデータと前記第１の対象物のデータとを対応つけることを特徴とする請求項１に記載の読み取り装置。
【請求項１０】
読み取り台の読み取りエリアを撮像する撮像部を用いて、前記読み取りエリアに置かれた対象物を読み取る読み取り装置であって、
前記読み取りエリアに置かれた第１の対象物を、前記撮像部を用いて読み取って得られた前記第１の対象物のデータを生成する第１の生成手段と、
ユーザによって、前記第１の対象物と異なる第２の対象物が前記読み取りエリアに置かれたか、あるいは、前記第１の対象物が前記読み取りエリアから取り除かれたか、を判定する判定手段と、
前記読み取りエリアに置かれた第２の対象物を、前記撮像部を用いて読み取って得られた前記第２の対象物のデータを生成する第２の生成手段と、
前記判定手段で前記第２の対象物が前記読み取りエリアに置かれたと判定された場合、前記第１の対象物のデータと前記第２の対象物のデータを対応つけ、
かつ、前記判定手段で前記第１の対象物が前記読み取りエリアから取り除かれたと判定された場合、前記第１の対象物のデータを前記第２の対象物のデータと対応づけない対応つけ手段とを有することを特徴とする読み取り装置。
【請求項１１】
読み取り台の読み取りエリアを撮像する撮像部を用いて、前記読み取りエリアに置かれた対象物を読み取る読み取り装置であって、
前記読み取りエリアに置かれた第１の対象物を前記撮像部を用いて読み取って得られた前記第１の対象物のデータと、前記読み取りエリアに置かれた第２の対象物を前記撮像部を用いて読み取って得られた前記第２の対象物のデータとを生成する第１の生成手段と、
前記第１の対象物が前記読み取りエリアに置かれている状態で、ユーザによって、前記第１の対象物と異なる第２の対象物が前記読み取りエリアに置かれたかを判定する判定手段と、
前記判定手段で前記第２の対象物が前記読み取りエリアに置かれたと判定された場合、前記第１の対象物のデータと前記第２の対象物のデータを対応つける対応つけ手段とを有することを特徴とする読み取り装置。
【請求項１２】
読み取り台の読み取りエリアを撮像する撮像部を用いて、前記読み取りエリアに置かれた対象物を読み取る読み取り装置の制御方法であって、
生成手段が、前記読み取りエリアに置かれた第１の対象物を、前記撮像部を用いて読み取って得られた前記第１の対象物のデータを生成する第１の生成工程と、
判定手段が、前記第１の対象物が前記読み取りエリアに置かれている状態で、ユーザによって、前記第１の対象物と異なる第２の対象物が前記読み取りエリアに置かれたかを判定する判定工程と、
前記生成手段が、前記読み取りエリアに置かれた第２の対象物を、前記撮像部を用いて読み取って得られた前記第２の対象物のデータを生成する第２の生成工程と、
対応つけ手段が、前記判定工程で前記第２の対象物が前記読み取りエリアに置かれたと判定された場合、前記第１の対象物のデータと前記第２の対象物のデータを対応つける対応つけ工程とを有することを特徴とする読み取り装置の制御方法。
【請求項１３】
前記判定手段は、さらに、ユーザによって、前記第１の対象物が前記読み取りエリアから取り除かれたかを判定する工程を有し、
前記対応つけ工程は、前記判定工程で前記第１の対象物が前記読み取りエリアから取り除かれたと判定された場合、前記第１の対象物のデータを前記第２の対象物のデータと対応づけないことを特徴とする請求項１２に記載の読み取り装置の制御方法。
【請求項１４】
前記対応つけ工程は、前記判定工程で前記第２の対象物が前記読み取りエリアに置かれたと判定された場合、前記第１の対象物のデータと前記第２の対象物のデータを、ひとつのファイルにし、
かつ、前記判定工程で前記第１の対象物が前記読み取りエリアから取り除かれたと判定された場合、前記第１の対象物のデータを前記第２の対象物のデータは別のファイルとすることを特徴とする請求項１３に記載の読み取り装置の制御方法。
【請求項１５】
読み取り台の読み取りエリアを撮像する撮像部を用いて、前記読み取りエリアに置かれた対象物を読み取る読み取り装置の制御方法であって、
第１の生成手段が、前記読み取りエリアに置かれた第１の対象物を、前記撮像部を用いて読み取って得られた前記第１の対象物のデータを生成する第１の生成工程と、
判定手段が、ユーザによって、前記第１の対象物と異なる第２の対象物が前記読み取りエリアに置かれたか、あるいは、前記第１の対象物が前記読み取りエリアから取り除かれたか、を判定する判定工程と、
第２の生成手段が、前記読み取りエリアに置かれた第２の対象物を、前記撮像部を用いて読み取って得られた前記第２の対象物のデータを生成する第２の生成工程と、
対応つけ手段が、前記判定工程で前記第２の対象物が前記読み取りエリアに置かれたと判定された場合、前記第１の対象物のデータと前記第２の対象物のデータを対応つけ、
かつ、前記判定工程で前記第１の対象物が前記読み取りエリアから取り除かれたと判定された場合、前記第１の対象物のデータを前記第２の対象物のデータと対応づけない対応つけ手段とを有することを特徴とする読み取り装置の制御方法。
【請求項１６】
コンピュータを、請求項１乃至１１のいずれか１項に記載の読み取り装置が有する各手段として機能させるためのコンピュータプログラム。
【請求項１７】
請求項１６に記載のコンピュータプログラムを格納した、コンピュータ読み取り可能な記憶媒体。
【手続補正２】
【補正対象書類名】明細書
【補正対象項目名】０００５
【補正方法】変更
【補正の内容】
【０００５】
上記課題を解決するために、本発明にかかる読み取り装置は、読み取り台の読み取りエリアを撮像する撮像部を用いて、前記読み取りエリアに置かれた対象物を読み取る読み取り装置であって、前記読み取りエリアに置かれた第１の対象物を、前記撮像部を用いて読み取り、前記第１の対象物のデータを生成する第１の生成手段と、前記第１の対象物が前記読み取りエリアに置かれている状態で、ユーザによって、前記第１の対象物と異なる第２の対象物が前記読み取りエリアに置かれたかを判定する判定手段と、前記読み取りエリアに置かれた第２の対象物を、前記撮像部を用いて読み取り、前記第２の対象物のデータを生成する第２の生成手段と、前記判定手段で前記第２の対象物が前記読み取りエリアに置かれたと判定された場合、前記第１の対象物のデータと前記第２の対象物のデータを対応つける対応つけ手段とを有することを特徴とする。